(57)【要約】【課題】  テレビ受像機などの画像再生装置の音を消してテレビ放送や再生映像等を視聴する際に、ヘッドフォンを装着せずに音を聞くことができるリモコン及びそのリモコンを有する視聴システムを提供する【解決手段】  音声信号を変調し、変調した前記音声信号を送信する送信デバイス５１（送信手段）と、を有するテレビ受像機２２（画像再生装置）と、テレビ受像機２２から送信された音声信号を受信する受信デバイス３５（受信手段）と、受信手段が受信した音声信号を復調する復調部３４と、復調した音声信号を機械的な振動に変換し、骨伝導によりリモコン使用者に伝達する骨伝導スピーカ３１と、を有するリモコン２１と、を備える。【選択図】  図２
2007006369.tif 000002
【特許請求の範囲】
【請求項１】
画像再生装置を遠隔操作するリモコンであって、
音声信号を機械的な振動に変換して骨伝導によりリモコン使用者に伝達する骨伝導スピーカを有することを特徴とするリモコン。
【請求項２】
前記画像再生装置から送信された前記音声信号を受信する受信手段と、
前記受信手段が受信した前記音声信号を復調する復調部と、を有することを特徴とするリモコン。
【請求項３】
前記復調部にて復調された音声信号の周波数を前記骨伝導スピーカの特性に合わせた周波数に補正する周波数補正装置を有することを特徴とする請求項１または２に記載のリモコン。
【請求項４】
前記骨伝導スピーカの出力の大きさを制御する出力制御部を有することを特徴とする請求項１〜３の何れかに記載のリモコン。
【請求項５】
前記リモコンが人体に接触しているか否かを検知する人検知手段を有することを特徴とする請求項１〜４の何れかに記載のリモコン。
【請求項６】
前記人検知手段は、前記リモコンに人体が接触していないと検知したとき前記骨伝導スピーカの動作を停止させることを特徴とする請求項１〜５の何れかに記載のリモコン。
【請求項７】
前記人検知手段は、抵抗値を測るための２つの電極と、
前記抵抗値が所定値以上となったときに前記骨伝導スピーカを停止する命令を送信する制御部と、を有することを特徴とする請求項５または６に記載のリモコン。
【請求項８】
前記リモコンの筐体の外側に振動吸収部材を備えたことを特徴とする請求項１〜７の何れかに記載のリモコン。
【請求項９】
音声信号を変調し、変調した前記音声信号を送信する送信手段を有する画像再生装置と、
前記画像再生装置から送信された前記音声信号を受信する受信手段と、前記受信手段が受信した前記音声信号を復調する復調部と、復調した前記音声信号を機械的な振動に変換し骨伝導によりリモコン使用者に伝達する骨伝導スピーカと、を有するリモコンと、
を備える視聴システム。
【発明の詳細な説明】
【技術分野】
【０００１】
本発明は、画像再生装置を遠隔操作するリモコン及びそのリモコンを有する視聴システムに関する。
【背景技術】
【０００２】
深夜の視聴等で周囲に迷惑をかけたくない場合など、テレビ受像機などの画像再生装置の音を消して、画像再生装置に接続されたヘッドフォンを装着してテレビ放送や再生映像等を視聴する場合がある。このとき、画像再生装置からヘッドフォンまでのコードの引き回しにより、物や人が移動する際に引っ掛かってしまったり、コードの長さによって視聴者の移動範囲が自ずと限定されてしまったりする。
【０００３】
このため、視聴者の身近におかれるリモコンにヘッドフォン端子をつけたものがある（例えば、特許文献１参照）。
図１は、ヘッドフォン端子付きのリモコンを示す図である。テレビ受像機１の送信部５より搬送波に乗せた音声信号を送信し、リモコン２の受信部６で受信した後、リモコン２のヘッドフォン端子７に接続されたヘッドフォン３で音声を聞くことができる。
【特許文献１】特開２００２−１５８８８８号公報
【発明の開示】
【発明が解決しようとする課題】
【０００４】
しかしながら、ヘッドフォンを装着した視聴には次のような問題がある。例えば、中座するとき、ヘッドフォンを一端耳からはずして戻ってから再度装着しなければならないという着脱の煩わしさがある。
また、ヘッドフォンを装着した状態では、外部からの音声がほぼ遮断されてしまい外部情報を得ることができず、不測の事態にすみやかに対処できない場合がある。
また、テレビ放送や再生映像等を長時間にわたって視聴する際には、装着したヘッドフォンによって耳が圧迫された状態が長時間続くことになり、このため不快に感じることもある。
【０００５】
本発明が解決しようとする課題としては、テレビ受像機などの画像再生装置の音を消してテレビ放送や再生映像等を視聴する際に、ヘッドフォンを装着せずに音を聞くことができるリモコン及びそのリモコンを有する視聴システムを提供することが一例として挙げられる。
【課題を解決するための手段】
【０００６】
請求項１に記載のリモコンは、遠隔から画像再生装置を制御するリモコンであって、
音声信号を機械的な振動に変換する骨伝導スピーカと、外部からの音声信号を受信する受信デバイスと、前記受信デバイスが受信した音声信号を復調する復調部と、を有することを特徴とする。
【０００７】
請求項７に記載の視聴システムは、画像再生装置とリモコンとの間で制御信号を送受信する視聴システムであって、音声信号を変調する前記画像再生装置内に組み込まれた変調部と、前記変調部からの出力信号を前記画像再生装置の外部に送信する送信デバイスとを有する前記画像再生装置と、外部からの音声信号を受信する受信デバイスと、前記受信デバイスが受信した音声信号を復調する復調部とを有するリモコンと、を有することを特徴とする。
【発明を実施するための最良の形態】
【０００８】
本発明に係るリモコンに好適な実施の形態は、遠隔からテレビ受像機などの画像再生装置に対して、そのチャンネル選択や音量調整等の制御を行うリモコンであり、音声信号を機械的な振動に変換して骨伝導によりリモコン使用者に伝達する骨伝導スピーカを備えているものである。
また、本発明に係るリモコンを有する視聴システムに好適な実施の形態は、本システムを構成する画像再生装置が、リモコンに対して音声信号を変調し、変調した音声信号を送信する送信手段を備えており、また、リモコンが、画像再生装置から送信された前記音声信号を受信する受信手段と、この受信した音声信号を復調する復調部と、を備えるものであり、復調した音声信号を機械的な振動に変換し、骨伝導によりリモコン使用者に伝達するシステムである。
【０００９】
以下、本発明の実施の形態について図面を参照して詳細に説明する。
図２は、実施の形態に係るリモコン２１と画像再生装置の一例であるテレビ受像機２２との関係を示した図である。テレビ受像機２２からの音声信号をリモコン２１が受信し、リモコン２１内に内蔵された骨伝導スピーカ３１の振動が人の頭骨を通じて内耳の蝸牛に直接音を伝達することによって音声を認識することができる。
【００１０】
図３は、本実施の形態のリモコンを有する視聴システム１００について示したブロック図である。本実施例のリモコンを有する視聴システム１００は、テレビ受像機２２と、リモコン２１とで構成される。
【００１１】
まず、テレビ受像機２２について説明する。
テレビ受像機２２は、リモコン２１からの赤外線等による制御信号を受信する受信デバイス６４（赤外線受光器等）と、この制御信号によってチャンネルの切り替えや音量の制御などを行う制御部６８と、放送波８０を受信する受信アンテナ６３と、ビデオ入力等種々の電化製品と接続する外部入力６５と、搬送波に乗せて変調された放送波８０を復調する復調部５５と、を有しており、画像信号７０および音声信号６６を画像処理部５６と音声処理部５４に分けて処理を行っている。
【００１２】
画像処理部５６は、復調部５５から取り出した画像信号７０または外部入力６５からの画像信号７１のうちユーザーが選択しているものを出力し、この画像出力信号７２に基づいて表示デバイス５７（例えば、ＣＲＴ，液晶ディスプレイ，ＰＤＰ等）によって画像が表示される。
【００１３】
音声処理部５４は、復調部５５から取り出した音声信号６６または外部入力６５からの音声信号６７のうちユーザーが選択しているものを出力し、この音声出力信号７３をプリアンプ５８およびパワーアンプ５９で増幅した後、テレビ受像機２２に備えられたスピーカ６０によって音声が再生される。また、プリアンプ５８で音声出力信号７３を増幅した後、ヘッドフォンアンプ６１で増幅しヘッドフォン端子６２へ出力再生することも可能である。
【００１４】
音声出力信号７３は、骨伝導スピーカ３１の再生能力に応じた所定の周波数帯域だけを取り出す帯域フィルタ５３でフィルタリングされ、フィルタリングされた音声信号７４を変調部５２で搬送波に乗せ、送信デバイス５１（アンテナあるいは赤外線発光器等）から電波あるいは赤外線等の電磁波８１として外部へ送信される。例えば、帯域フィルタ５３は３００Hz〜３kHz程度の帯域で骨伝導スピーカ３１用の音声信号を伝達するものが好ましい。なお、この３００Hz〜３kHz程度の帯域であればセリフなどの人の声を明瞭に聴くことが可能である。
【００１５】
次に、リモコン２１について説明する。
リモコン２１は、テレビ受像機２２からの電波あるいは赤外線等の電磁波８１を受信する受信デバイス３５（アンテナあるいは赤外線受光器等）と、搬送波に乗せて変調された電磁波８１をもとの信号に戻す復調部３４と、復調部３４から取り出した復調信号７５を骨伝導スピーカ３１の特性に合わせた周波数に補正するイコライザー３３と、骨伝導スピーカ３１の音量調整を行うことができる出力制御部３２と、音声信号７６を機械的な振動に変換する骨伝導スピーカ３１と、操作部３６と、制御部３７と、制御部３７からの制御信号７８を送信する送信デバイス４１（赤外線発光器等）と、リモコン２１が人体に接触しているかを検知する人検知部９０とを有している。
【００１６】
イコライザー３３は、ノーマルモードとセリフモードを有し、ユーザーはどちらかのモードを選択することがでる。セリフモードではノーマルモードに対して言葉の発音に重要な１．５ｋＨｚ〜３ｋＨｚ帯域を３ｄＢ程度増幅させることができる。このため、セリフモードは、会話が多い番組等の視聴に適している。
【００１７】
また、リモコン２１の内部に出力制御部３２を設けたことで、骨伝導スピーカ３１の音量調整を行うことができる。
これにより、スピーカ６０からの音声と骨伝導スピーカ３１の音声を同時に聞く場合において、スピーカ６０の音量と骨伝導スピーカ３１からの音量とのバランスの調整ができるので、室内環境や視聴者の好みに柔軟に対応させることができる。
【００１８】
人検知部９０は、（＋）電極４３と、（−）電極４４と、人検知部４２とを有し、両電極間の抵抗値を人検知部４２で監視している。抵抗値が所定値以上と測定されると制御部３７によってリモコン２１は机上等に置かれた状態（人が持っていない状態）と判断し、制御部３７は受信デバイス３５、イコライザー３３、出力制御部３２、骨伝導スピーカ３１へ動作停止命令を送信する。
【００１９】
これにより机上等での不快な振動を防止するとともにリモコン２１の無駄な電力消費を防ぐことができる。なお、人間の抵抗値が１ＭΩ程度であることを考慮すれば、制御部３７が両電極間の抵抗は余裕を持たせて約３ＭΩ以上と測定した場合に動作停止命令を送信するように設定するのが好ましい。
【００２０】
また、ユーザーがリモコン２１が人体から僅かに離れただけでその動作を停止すると、視聴者が動く度に動作が停止して使いづらいため、所定の時間以上離れた場合にのみ動作を停止させることが好ましい。
【００２１】
このため、制御部３７は、マイコン３８の他、タイマー３９を有している。タイマー３９は両電極間の抵抗値が所定値以上と測定されると時間測定を開始する。そして、この測定時間が予め設定された所定時間以上になったとき、骨伝導スピーカ３１の動作を停止するよう設定する。
【００２２】
さらに、タイマー３９による測定時間が所定時間を越えたとき、制御部３７がテレビ受像機２２に電源オフ信号を送信することにより、テレビ受像機２２の電源をオフにすることもできる。なお、テレビ受像機２２の電源オフのための所定時間は、前記の骨伝導スピーカ３１の動作を停止させる所定時間とは異なるものでもよい。
【００２３】
図４は、本実施の形態のリモコンを有する視聴システムにおいて、人検知部９０とタイマー３９とを組み合わせて作動させた場合の動作フローを示すフローチャートである。
以下、本実施の形態のリモコンを有する視聴システムの動作フローを説明する。
【００２４】
まず、テレビ受像機２２の電源をＯＮ（ステップＳ１）した後、リモコン２１の電源をＯＮする（ステップＳ２）。
【００２５】
人検知部４２が（＋）電極４３と、（−）電極４４との間の抵抗値を監視する（ステップＳ３）。マイコン３８によって両電極間の抵抗値が３ＭΩ以上と測定された場合（ステップＳ４）にタイマー３９が時間測定を開始する（ステップＳ５）。
【００２６】
一方、マイコン３８によって両電極間の抵抗値が３ＭΩ以上と測定されなかった場合（ステップＳ４）は、引き続き両電極間の抵抗値を監視する（ステップＳ３）。
【００２７】
タイマー３９が時間測定を開始後、予め設定された所定時間を経過すると、制御部３７は骨伝導スピーカ３１へ動作停止命令を送信し、骨伝導スピーカ３１を停止させる（ステップＳ７）。
【００２８】
なお、マイコン３８は、時間測定中でも両電極間の抵抗値を監視しているため時間測定開始後、所定時間経過していない場合（ステップＳ６）は、ステップＳ３→ステップＳ４→ステップＳ５→ステップＳ６→ステップＳ３→ステップＳ４・・・のようにループ制御を行っている。
【００２９】
また、骨伝導スピーカ３１の停止とともに、テレビ受像機２２の電源をＯＦＦにするように制御することもできる。すなわち、制御部３７は送信デバイス４１からから動作停止命令の信号を送信し（ステップＳ９）、この動作停止命令の信号をテレビ受像機２２の受信デバイス６４が受信して、テレビ受像機の制御部６８に送り、制御部６８の制御によりテレビ受像機２２の電源がＯＦＦになる（ステップＳ１０）。
【００３０】
次に、本実施の形態のリモコンの構造について、具体的な実施例を挙げて説明する。
（実施例１）
図５は、実施例１に係るリモコンの外観斜視図である。（ａ）は上面斜視図であり、（ｂ）は底面斜視図である。
【００３１】
リモコン２１は、略立方形状を有し、長手方向と直角方向の一側面中央にはリモコン２１とテレビ受像機２２との間で電波や赤外線等の電磁波を送受信する略楕円形状の送信デバイス４１と受信デバイス３５が設けられている。本実施形態においては１つの略楕円形状デバイスが送信デバイス４１、受信デバイス３５の２つの役割を兼ねている。
【００３２】
リモコン２１の上面側には複数の突起したボタンが設けられている。これらは、テレビ受像機２２を遠隔制御するためのボタンであり、電源ボタン２５、音量調節ボタン２６、チャンネル切り替えボタン２７、ファンクションボタン２８等から構成され全体で操作部３６をなしている。
【００３３】
リモコン２１の底面側には中央よりやや送信デバイス４１および受信デバイス３５側に、ドーナツ形の金属板からなる（−）電極４４と、ドーナツ形の金属板の中にドーナツ形より直径が小さい円形の金属板からなる（＋）電極４３が設けられている。これら（−）電極４４と（＋）電極４３は互いに接触することなく配置されている。
【００３４】
また、上面側の送信デバイス４１および受信デバイス３５の反対側の端には、リモコン２１の作動に必要な電池の挿入口を覆うように長方形状の蓋２３が装着されている。
【００３５】
さらに、リモコン２１の筐体の外側、例えば底面側の４隅にはゴム材やスポンジ材等の弾性部材からなる円形の振動吸収部材２４が設けられている。リモコン２１に内蔵された骨伝導スピーカ３１の作動中にリモコン２１を机上等に置いても、これら振動吸収部材２４が骨伝導スピーカ３１の振動を吸収するので不快な音をたてることがない。
【００３６】
なお、リモコン２１は、図２に示すように頬に密着するようにあてると骨伝導スピーカ３１の振動が頭骨に伝わりやすく効果的な使用ができる。そして、音声を聴いている間は、底面側にある電極４４および電極４３を頬に密着させておけば骨伝導スピーカ３１が突然停止することはないため、ストレスなくテレビ放送の音声を聞くことができる。
【００３７】
（実施例２）
図６は、実施例２に係るリモコンの外観斜視図である。（ａ）は上面斜視図であり、（ｂ）は底面斜視図である。
【００３８】
リモコン２００は、略立方形状を有し、長手方向と直角方向の一側面中央にはリモコン２００とテレビ受像機２２との間で電波や赤外線等の電磁波を送受信する略楕円形状の送信デバイス２０３と受信デバイス２０４が設けられている。本実施例においては１つの略楕円形状デバイスが送信デバイス２０３、受信デバイス２０４の２つの役割を兼ねている。
【００３９】
リモコン２００の上面側には複数の突起したボタンが設けられている。これらは、テレビ受像機２２を遠隔制御するためのボタンであり、電源ボタン２０８、音量調節ボタン２０５、チャンネル切り替えボタン２０６、ファンクションボタン２０７等から構成され全体で操作部２１０をなしている。
【００４０】
リモコン２００の長手方向の一側面には中央よりやや送信デバイス２０３および受信デバイス２０４側に、長方形状の金属板からなる（−）電極２０１と、同じく長方形状の金属板からなる（＋）電極２０２が設けられている。これら（−）電極２０１と（＋）電極２０２は互いに接触することなく配置されている。
【００４１】
また、上面側の送信デバイス２０１および受信デバイス２０２の反対側の端には、リモコン２００の作動に必要な電池の挿入口を覆うように長方形状の蓋２１１が装着されている。
【００４２】
さらに、リモコン２００の４隅にはゴム材やスポンジ材等の弾性部材からなる略Ｌ字形の振動吸収部材２０９が設けられている。リモコン２００に内蔵された骨伝導スピーカ３１の作動中にリモコン２００を机上等に置いても、これら振動吸収部材２０９が骨伝導スピーカ３１の振動を吸収するので不快な音をたてることがない。
【００４３】
なお、リモコン２００は頬に密着するようにあてると骨伝導スピーカ３１の振動が頭骨に伝わりやすく効果的な使用ができる。本実施形態においては（−）電極２０１と（＋）電極２０２を有する長手方向の一側面を頬にあてるとよい。そして、音声を聴いている間は電極２０１および電極２０２を頬に密着させておけば骨伝導スピーカ３１が突然停止することはないためストレスなくテレビ放送の音声を聞くことができる。
【００４４】
なお、本発明に係るリモコンは、骨伝導スピーカの動作をＯＮ，ＯＦＦさせるための操作ボタン等を備えたものでもよい。また、これにより、上記実施の形態で示した人検知部を持たないものとしてもよい。勿論、前記骨伝導スピーカの操作ボタンと人検知部の両方を備えたものでもよい。
【００４５】
以上、詳述したように、本発明の実施の形態に係るリモコン２１は、遠隔からテレビ受像機２２などの画像再生装置に対して、そのチャンネル選択や音量調整等の制御を行うリモコンであり、音声信号を機械的な振動に変換して骨伝導によりリモコン使用者に伝達する骨伝導スピーカ３１を有するものである。
【００４６】
また、本発明の実施の形態に係るリモコンを有する視聴システム１００は、音声信号を変調し、変調した前記音声信号を送信する送信デバイス５１（送信手段）と、を有するテレビ受像機２２（画像再生装置）と、テレビ受像機２２から送信された音声信号を受信する受信デバイス３５（受信手段）と、受信手段が受信した音声信号を復調する復調部３４と、復調した音声信号を機械的な振動に変換し、骨伝導によりリモコン使用者に伝達する骨伝導スピーカ３１と、を有するリモコン２１と、を備えている。
【００４７】
これにより、音声は骨伝導スピーカ３１によって振動に変換され、リモコン２１を頬に密着させるだけで、振動が頭蓋骨を通じて内耳の蝸牛に直接伝わるので、深夜の視聴などの状況においても、周囲に迷惑をかけることなく快適にテレビ放送の音声を聞くことができる視聴システムを提供することができる。
【００４８】
また、従来は中座するとき、ヘッドフォンを一端耳からはずして戻ってから再度装着するという煩わしさがあるが、本発明の実施の形態に係るリモコンによればリモコンを頬からはなすだけでよいので、ヘッドフォンの着脱という煩わしさがない。
【００４９】
また、リモコン２１を頬に密着させるだけで、テレビ放送を聴くことができるのでヘッドフォンのようにコードを垂れ下げる必要がない。これにより、移動する物や人がヘッドフォンコードに引っ掛かかる虞がなく、ヘッドフォンコードの長さによって視聴者の移動範囲が限定されることもなくなる。
【００５０】
さらに、リモコン２１によれば、ヘッドフォンのように耳を直接ふさぐことがないためテレビ視聴に夢中になっていても、不測の事態等周囲の状況変化にも即座に対応することが可能である。
【図面の簡単な説明】
【００５１】
【図１】従来のヘッドフォン端子付きのリモコンを示す図である。
【図２】本発明の実施の形態に係るリモコンとテレビ受像機との関係を示した図である。
【図３】本発明の実施の形態に係る視聴システムについて示したブロック図である。
【図４】動作フローを示すフローチャートである。
【図５】本発明の実施例１に係るリモコンの外観斜視図であり、（ａ）は上面斜視図であり、（ｂ）は底面斜視図である。
【図６】本発明の実施例２に係るリモコンの外観斜視図であり、（ａ）は上面斜視図であり、（ｂ）は底面斜視図である。
【符号の説明】
【００５２】
１００  視聴システム
２１  リモコン
２２  テレビ受像機
２４  振動吸収部材
３１  骨伝導スピーカ
３２  出力制御部
３３  イコライザー
３４  復調部
３５  受信デバイス
３６  操作部
３７  制御部
３８  マイコン
３９  タイマー
４０  変調部
４１  送信デバイス
４２  人検知部
４３  （＋）電極
４４  （−）電極
５１  送信デバイス
５２  変調部
５３  帯域フィルタ
５４  音声処理部
５５  復調部
５６  画像処理部
６３  受信デバイス
６４  受信デバイス
６６  音声信号
７３  音声出力信号
７４  音声信号
８０  放送波
８１  電磁波
９０  人検知部
【図１】
2007006369.tif 000003
【図２】
2007006369.tif 000004
【図３】
2007006369.tif 000005
【図４】
2007006369.tif 000006
【図５】
2007006369.tif 000007
【図６】
2007006369.tif 000008